(57)【要約】【課題】本発明は、外部機器から侵入するノイズ信号を検出し、このノイズ信号が電子機器内部に影響を及ばすか否かを判断してノイズ検出信号を電子機器に出力して、電子機器のノイズによる誤動作を未然に防止するノイズ検出装置を提供することである。【解決手段】ノイズ判断部８は、外部プロセッサ２００からモニタ端子１１ａを介して受信した処理ステータスが、予め設定されたノイズ判断すべき処理ステータスと一致し、Ａ／Ｄコンバータ５ａから入力されるデジタルノイズ信号がレジスタ６ａに記憶された設定値以上の場合、当該ノイズ信号が外部プロセッサ２００の処理に影響を及ぼすものと判断し、その受信した処理ステータスを、検出対象の信号種別と対応付けてＲＯＭ７に記憶し、ノイズ検出信号を出力回路９に出力し、出力回路９から外部プロセッサ２００にリセット信号を出力させて、フェールセーフ動作に移行させる。【選択図】　　　　　図１
2004032170.tif 000002
【特許請求の範囲】
【請求項１】
外部機器と有線又は無線で接続する入力部を備えた電子機器の当該入力部に接続されるノイズ検出装置であって、
前記外部機器から有線又は無線を介して侵入するノイズ信号を検出するノイズ検出手段と、
前記電子機器から出力される動作状態信号を受信する受信手段と、
前記検出されるノイズ信号のノイズレベルを記憶する記憶手段と、
前記検出されたノイズ信号と、前記受信された動作状態信号と、前記記憶されたノイズレベルとに基づいて、当該ノイズ信号が前記電子機器の動作状態に影響を及ぼすか否かを判断するノイズ判断手段と、
前記電子機器の動作状態に影響を及ぼすノイズ信号であると判断されると、ノイズ検出信号を当該電子機器に出力する出力手段と、
を備えたことを特徴とするノイズ検出装置。
【請求項２】
前記ノイズ検出手段は、前記外部機器から有線又は無線を介して送信される無線信号及び有線信号を個別に受信する信号入力部を有し、当該信号入力部に侵入する有線ノイズ信号又は無線ノイズ信号を個別に検出し、
前記記憶手段は、前記個別に検出される有線ノイズ信号又は無線ノイズ信号に対応したノイズレベルを個別に記憶し、
前記ノイズ判断手段は、前記ノイズ検出対象の信号種別に対応した動作状態を設定し、当該設定された信号種別の動作状態と前記受信された動作状態信号とが一致する場合、前記個別に検出されたノイズ信号と、前記個別に記憶されたノイズレベルとを比較して、当該ノイズ信号が前記電子機器の現在の動作状態に影響を及ぼすか否かを判断することを特徴とする請求項１記載のノイズ検出装置。
【請求項３】
前記出力手段は、前記電子機器の動作状態に影響を及ぼすノイズ信号であると判断されると、フェールセーフ動作させる動作指示信号を当該電子機器に出力し、又は特定の処理において誤動作が発生した可能性がある旨を示す信号を当該電子機器に出力することを特徴とする請求項１又は２に記載のノイズ検出装置。
【請求項４】
前記受信手段により受信される動作状態信号を記憶する動作状態記憶手段を更に備え、
前記ノイズ判断手段は、前記出力手段から出力された動作指示信号により前記電子機器がフェールセーフ動作に移行された後、前記動作状態記憶手段に記憶された動作状態信号を参照して、フェールセーフ動作前の動作状態に復帰させる復帰動作指示を前記出力手段に出力し、
前記出力手段は、前記ノイズ判断手段から出力された復帰動作指示に応じて、動作指示信号を前記フェールセーフ動作中の電子機器に出力することを特徴とする請求項３記載のノイズ検出装置。
【発明の詳細な説明】
【０００１】
【発明の属する技術分野】
本発明は、電子機器に影響を与えるノイズ信号を検出するノイズ検出装置に関する。
【０００２】
【従来の技術】
近時、電子機器は、ユーザーの要望が多様化し、電子機器メーカーでは、高機能化や付加機能を追加して、競合メーカーと差別化を図る傾向にあり、高機能化と多機能化の進展が加速している。
【０００３】
また、高機能化と多機能化が進展する電子機器では、外部からの静電気ノイズや他の電子機器からの放射ノイズが、内部の電子回路、特にプロセッサに影響して誤動作等が発生する可能性が高くなり、その外部ノイズの影響を軽減するため、電子回路に接続される電源ラインやグランドライン等のノイズの影響を受けやすい箇所にノイズフィルタ回路等のノイズ対策回路を接続したり、電子回路を収納するケースに電磁シールド効果を有する材料等を使用している。
【０００４】
【発明が解決しようとする課題】
しかしながら、従来の電子機器内部の電子回路に接続されたノイズ対策回路にあっては、コンデンサやノイズ吸収素子等の受動素子により構成されていたため、ノイズ信号をグランドにバイパスさせたり、熱エネルギーに変換させたりして、電子回路内部にノイズ信号が侵入しないように対策したものが殆どであり、ノイズ対策としては十分でないという問題があった。
【０００５】
すなわち、携帯電話や通信機能を搭載した電子機器等が多用される環境においては、環境内で発生するノイズ信号の周波数帯域や信号レベルも多様化し、従来の受動素子を基本構成としたノイズ対策回路だけでは、電子機器を外部ノイズから保護することは十分にできないという問題があった。
【０００６】
本発明の課題は、外部機器から侵入するノイズ信号を検出し、このノイズ信号が電子機器内部に影響を及ばすか否かを判断してノイズ検出信号を電子機器に出力して、電子機器のノイズによる誤動作を未然に防止するノイズ検出装置を提供することである。
【０００７】
【課題を解決するための手段】
上記課題を解決するため、請求項１記載の発明は、
外部機器と有線又は無線で接続する入力部を備えた電子機器の当該入力部に接続されるノイズ検出装置であって、
前記外部機器から有線又は無線を介して侵入するノイズ信号を検出するノイズ検出手段と、
前記電子機器から出力される動作状態信号を受信する受信手段と、
前記検出されるノイズ信号のノイズレベルを記憶する記憶手段と、
前記検出されたノイズ信号と、前記受信された動作状態信号と、前記記憶されたノイズレベルとに基づいて、当該ノイズ信号が前記電子機器の動作状態に影響を及ぼすか否かを判断するノイズ判断手段と、
前記電子機器の動作状態に影響を及ぼすノイズ信号であると判断されると、ノイズ検出信号を当該電子機器に出力する出力手段と、
を備えたことを特徴としている。
【０００８】
この請求項１記載の発明によれば、
外部機器と有線又は無線で接続する入力部を備えた電子機器の当該入力部に接続されるノイズ検出装置であって、ノイズ検出手段が前記外部機器から有線又は無線を介して侵入するノイズ信号を検出し、受信手段が前記電子機器から出力される動作状態信号を受信し、前記検出されるノイズ信号のノイズレベルを記憶手段に記憶し、ノイズ判断手段が前記検出されたノイズ信号と、前記受信された動作状態信号と、前記記憶されたノイズレベルとに基づいて、当該ノイズ信号が前記電子機器の動作状態に影響を及ぼすか否かを判断すると、出力手段が前記電子機器の動作状態に影響を及ぼすノイズ信号であると判断されると、ノイズ検出信号を当該電子機器に出力する。
【０００９】
したがって、電子機器のノイズによる誤動作を未然に防止することができ、電子機器の信頼性を向上させることができる。
【００１０】
また、請求項２記載の発明は、請求項１記載のノイズ検出装置において、前記ノイズ検出手段は、前記外部機器から有線又は無線を介して送信される無線信号及び有線信号を個別に受信する信号入力部を有し、当該信号入力部に侵入する有線ノイズ信号又は無線ノイズ信号を個別に検出し、
前記記憶手段は、前記個別に検出される有線ノイズ信号又は無線ノイズ信号に対応したノイズレベルを個別に記憶し、
前記ノイズ判断手段は、前記ノイズ検出対象の信号種別に対応した動作状態を設定し、当該設定された信号種別の動作状態と前記受信された動作状態信号とが一致する場合、前記個別に検出されたノイズ信号と、前記個別に記憶されたノイズレベルとを比較して、当該ノイズ信号が前記電子機器の現在の動作状態に影響を及ぼすか否かを判断するようにしてもよい。
【００１１】
この請求項２記載の発明によれば、
前記ノイズ検出手段は、前記外部機器から有線又は無線を介して送信される無線信号及び有線信号を個別に受信する信号入力部を有し、当該信号入力部に侵入する有線ノイズ信号又は無線ノイズ信号を個別に検出し、前記記憶手段は、前記個別に検出される有線ノイズ信号又は無線ノイズ信号に対応したノイズレベルを個別に記憶し、前記ノイズ判断手段は、前記ノイズ検出対象の信号種別に対応した動作状態を設定し、当該設定された信号種別の動作状態と前記受信された動作状態信号とが一致する場合、前記個別に検出されたノイズ信号と、前記個別に記憶されたノイズレベルとを比較して、当該ノイズ信号が前記電子機器の現在の動作状態に影響を及ぼすか否かを判断することにより、電子機器に設けられた各種無線信号や有線信号の各入力ラインのノイズ信号に応じて、電子機器のノイズによる誤動作を未然に防止することができる。また、ノイズ検出装置を各種電子機器に容易に適用することができる。
【００１２】
また、請求項３記載の発明は、請求項１又は２記載のノイズ検出装置において、前記出力手段は、前記電子機器の動作状態に影響を及ぼすノイズ信号であると判断されると、フェールセーフ動作させる動作指示信号を当該電子機器に出力し、又は特定の処理において誤動作が発生した可能性がある旨を示す信号を当該電子機器に出力するようにしてもよい。
【００１３】
この請求項３記載の発明によれば、
前記出力手段は、前記電子機器の動作状態に影響を及ぼすノイズ信号であると判断されると、フェールセーフ動作させる動作指示信号を当該電子機器に出力し、又は特定の処理において誤動作が発生した可能性がある旨を示す信号を当該電子機器に出力することにより、電子機器の誤動作を確実に防止できる。
【００１４】
また、請求項４記載の発明は、請求項３記載のノイズ検出装置において、前記受信手段により受信される動作状態信号を記憶する動作状態記憶手段を更に備え、前記ノイズ判断手段は、前記出力手段から出力された動作指示信号により前記電子機器がフェールセーフ動作に移行された後、前記動作状態記憶手段に記憶された動作状態信号を参照して、フェールセーフ動作前の動作状態に復帰させる復帰動作指示を前記出力手段に出力し、前記出力手段は、前記ノイズ判断手段から出力された復帰動作指示に応じて、動作指示信号を前記フェールセーフ動作中の電子機器に出力するようにしてもよい。また、ユーザーに特定の処理において、誤動作が発生した可能性があることをＭｏｎｉｔｏｒ等のユーザーＩ／Ｆを通じて出力するようにしてもよい。
【００１５】
この請求項４記載の発明によれば、
前記受信手段により受信される動作状態信号を記憶する動作状態記憶手段を更に備え、前記ノイズ判断手段は、前記出力手段から出力された動作指示信号により前記電子機器がフェールセーフ動作に移行された後、前記動作状態記憶手段に記憶された動作状態信号を参照して、フェールセーフ動作前の動作状態に復帰させる復帰動作指示を前記出力手段に出力し、前記出力手段は、前記ノイズ判断手段から出力された復帰動作指示に応じて、動作指示信号を前記フェールセーフ動作中の電子機器に出力することにより、ユーザーが電子機器を復帰させる際の手間を軽減できる。
【００１６】
【発明の実施の形態】
以下、図を参照して本発明の実施の形態を詳細に説明する。
図１〜図３は、本発明を適用したノイズ検出装置の一実施の形態を示す図である。
まず、構成を説明する。
図１は、本実施の形態におけるノイズ検出装置１００内部の要部構成を示す図であり、入力部４ａ〜４ｄ、Ａ／Ｄコンバータ５ａ〜５ｄ、レジスタ６ａ〜６ｄ、ＲＯＭ７、ノイズ判断部８、出力回路９、出力端子部１０及びモニタ端子部１１ａ〜１１ｄにより構成される。
【００１７】
また、図１において、ノイズ検出装置１００の外部には、電源ラインＶｃｃとの間、グランドＧＮＤとの間にノイズ対策部品１，２が接続されるとともに、外部プロセッサ２００が接続されている。
【００１８】
ノイズ対策部品１，２は、ノイズ信号を受動的に吸収処理する受動素子等により構成される。ノイズ対策部品１は、電源ラインＶｃｃに流れるノイズ信号をカットし、ノイズ信号が電源ラインＶｃｃからノイズ検出装置１００内部に侵入することを防止する。ノイズ対策部品２は、グランドＧＮＤに流れるノイズ信号を吸収し、ノイズ信号がグランドＧＮＤからノイズ検出装置１００内部に侵入することを防止する。
【００１９】
入力部４ａは、ＡＶ（Ａｕｄｉｏ　Ｖｉｄｅｏ）信号に対応し、外部の電子機器から送信されるＡＶ信号を受信し、そのＡＶ信号からノイズ信号を抽出してＡ／Ｄコンバータ５ａに出力する。入力部４ｂは、ＵＳＢ（Ｕｎｉｖｅｒｓａｌ　Ｓｅｒｉａｌ　Ｂｕｓ）端子に対応し、ＵＳＢラインを介して外部の電子機器から出力される信号からノイズ信号を抽出してＡ／Ｄコンバータ５ｂに出力する。
【００２０】
入力部４ｃは、ＡＣ（交流電源）ラインに対応し、外部の交流電源から出力される交流電源信号からノイズ信号を抽出してＡ／Ｄコンバータ５ｃに出力する。入力部４ｄは、デジタル回路系のＧＮＤ（グランド）ラインに対応し、そのＧＮＤラインに流れる信号からノイズ信号を抽出してＡ／Ｄコンバータ５ｄに出力する。
【００２１】
また、入力部４ａ〜４ａにおけるノイズ検出信号抽出の有無は、ノイズ判断部８により常時監視されているものとする。
【００２２】
Ａ／Ｄコンバータ５ａは、入力部４ａから入力されるノイズ信号をＡ／Ｄ変換し、デジタルノイズ信号としてノイズ判断部８ａに出力する。Ａ／Ｄコンバータ５ｂは、入力部４ｂから入力されるノイズ信号をＡ／Ｄ変換し、デジタルノイズ信号としてノイズ判断部８ｂに出力する。
【００２３】
Ａ／Ｄコンバータ５ｃは、入力部４ｃから入力されるノイズ信号をＡ／Ｄ変換し、デジタルノイズ信号としてノイズ判断部８ｃに出力する。Ａ／Ｄコンバータ５ｄは、入力部４ｄから入力されるノイズ信号をＡ／Ｄ変換し、デジタルノイズ信号としてノイズ判断部８ｄに出力する。
入力部４ａ〜４ｄ及びＡ／Ｄコンバータ５ａ〜５ｄは、ノイズ検出手段としての機能を有する。
【００２４】
レジスタ６ａ〜６ｄは、ノイズ判断部８に各々入力されるデジタルのノイズ検出信号に対応するノイズレベルの設定値を各々記憶し、その記憶した各設定値はノイズ判断部８により各々読み出される。なお、レジスタ６ａ〜６ｄには、外部プロセッサ２００との間にデータバスＢが接続されており、外部プロセッサ２００によりレジスタ６ａ〜６ｄに記憶された各設定値が変更可能である。レジスタ６ａ〜６ｄは、記憶手段としての機能を有する。
【００２５】
ＲＯＭ（Ｒｅａｄ　Ｏｎｌｙ　Ｍｅｍｏｒｙ）７は、電源を切ってもデータを保持する不揮発性のメモリであり、ノイズ判断部８おいて実行されるノイズ検出処理プログラム、ノイズ判断処理Ａ〜Ｄの各プログラム等を記憶するとともに、データバスＢを介して外部プロセッサ２００から常時転送される処理ステータスを常時記録する。また、ＲＯＭ７は、ノイズ判断部８おいて判断されたノイズ信号及び処理ステータスを信号種別毎に記憶する。
【００２６】
ノイズ判断部８は、ＲＯＭ７に記憶されたノイズ検出処理プログラムに基づいて後述するノイズ検出処理を実行するとともに、ＲＯＭ７に記憶されたノイズ判断処理Ａプログラムに基づいて後述するノイズ判断処理Ａを実行する。
ノイズ判断処理Ａにおいて、ノイズ判断部８は、外部プロセッサ２００からモニタ端子１１ａを介して受信した処理ステータス（動作状態信号）が、予め設定されたノイズ判断すべき処理ステータス（例えば、ＡＶ処理モード等）と一致し、Ａ／Ｄコンバータ５ａから入力されるデジタルのノイズ検出信号がレジスタ６ａに記憶された設定値以上の場合、当該ノイズ信号が外部プロセッサ２００の処理に影響を及ぼすものと判断し、その受信した処理ステータスを、検出対象の信号種別（ＡＶ信号）と対応付けてＲＯＭ７に記憶し、ノイズ検出信号を出力回路９に出力し、出力回路９から外部プロセッサ２００にリセット信号を出力させて、フェールセーフ動作に移行させる。
また、ノイズ判断部８は、当該ノイズ信号が外部プロセッサ２００の処理に影響を及ぼすものと判断した場合、特定の処理において誤動作が発生した可能性がある旨を示す信号を外部プロセッサ２００に出力するようにしてもよい。
【００２７】
また、ノイズ判断部８は、外部プロセッサ２００をフェールセーフ動作に移行させた後、ＲＯＭ７に記憶した信号種別（ＡＶ信号）の処理ステータスを参照して、フェールセーフ動作前の動作状態に復帰させる復帰動作指示信号を出力回路９に出力し、出力回路９から外部プロセッサ２００に復帰動作指示信号を出力させて、フェールセーフ動作前の動作状態に復帰させる。
【００２８】
さらに、ノイズ判断部８は、ＲＯＭ７に記憶されたノイズ判断処理Ｂ〜Ｄプログラムに基づいて後述するノイズ判断処理Ｂ〜Ｄを各々実行し、上記ノイズ判断処理Ａと同様のノイズ判断処理を実行する。
ノイズ判断部８は、ノイズ判断手段としての機能を有する。
【００２９】
出力回路９は、ノイズ判断部８から各々出力されるノイズ検出信号に基づいてリセット信号を生成し、このリセット信号を出力端子部１０を介して外部プロセッサ２００に出力する。
出力回路９は、出力手段としての機能を有する。
【００３０】
モニタ端子部１１ａ〜１１ｄは、ノイズ検出対象の信号種別毎に外部プロセッサ２００のグローバルＩ／Ｏポート３から出力される処理ステータスを各々受信して、ノイズ判断部８の同一ノイズ検出対象のデジタルのノイズ検出信号入力部に各々出力する。
モニタ端子部１１ａ〜１１ｄは、受信手段としての機能を有する。
【００３１】
外部プロセッサ２００は、電子機器に内蔵されるＣＰＵ（Ｃｅｎｔｒａｌ　ＰｒｏｃｅｓｓｉｎｇＵｎｉｔ　）等であり、処理中の各種処理ステータスをグローバルＩ／Ｏポート３からノイズ検出装置１００のモニタ端子部１１ａ〜１１ｄに出力し、ノイズ検出装置１００の出力端子１０からリセット信号を受信すると、処理を中断してフェールセーフ動作に移行する。また、外部プロセッサ２００は、ノイズ検出装置１００の出力端子１０から復帰動作指示信号を受信すると、フェールセーフ動作前の動作状態に復帰する。
【００３２】
また、外部プロセッサ２００は、データバスＢを介してノイズ検出装置１００内のＲＯＭ７に全ての処理ステータスをシリアル転送するとともに、レジスタ６ａ〜６ｄに記憶された各設定値を変更する設定値データを転送する。
【００３３】
次に、本実施の形態の動作を説明する。
まず、ノイズ検出装置１００において実行されるノイズ検出処理の全体フローについて図２に示すフローチャートに基づいて説明する。
図２において、ノイズ検出装置１００内のノイズ判断部８は、ＲＯＭ７に記憶されたノイズ検出プログラムに基づいて図２のノイズ検出処理を開始する。
【００３４】
図２において、ノイズ判断部８は、まず、入力部４ａにおけるノイズ信号抽出の有無をチェックし（ステップＳ１）、入力部４ａにおいてノイズ信号が抽出されると（ステップＳ１：Ｙｅｓ）、図３に示すノイズ判断処理Ａに移行する。
【００３５】
ノイズ判断処理Ａにおいて、ノイズ判断部８は、外部プロセッサ２００からモニタ端子１１ａを介して受信した処理ステータス（動作状態信号）が、予め設定されたノイズ判断すべき処理ステータス（例えば、ＡＶ処理モード等）と一致するか否かを判別する（ステップＳ２１）。
【００３６】
一致しない場合は（ステップＳ２１：Ｎｏ）、直ちに本処理を終了して図２のステップＳ３に移行し、一致した場合は（ステップＳ２１：Ｙｅｓ）、入力部４ａにおいて抽出されたノイズ信号をＡ／Ｄコンバータ５ａによりデジタルノイズ信号にＡ／Ｄ変換する（ステップＳ２２）。
【００３７】
そして、ノイズ判断部８は、レジスタ６ａからデジタルノイズ信号に対応するノイズレベルの設定値を読み出し、Ａ／Ｄコンバータ５ａから入力されたデジタルノイズ信号のノイズレベルが設定値以上か否かを判別する（ステップＳ２３）。入力されたデジタルノイズ信号のノイズレベルが設定値以上でない場合（ステップＳ２３：Ｎｏ）、外部プロセッサ２００の動作に影響がないノイズ信号であるため、本処理を終了して図２のステップＳ３に移行する。
【００３８】
また、入力されたデジタルノイズ信号のノイズレベルが設定値以上である場合（ステップＳ２３：Ｙｅｓ）、外部プロセッサ２００の動作に影響があるノイズ信号であるため、検出されたデジタルノイズ信号と処理ステータスとを検出対象の信号種別（ＡＶ信号）に対応付けてＲＯＭ７に記録し（ステップＳ２３）、ノイズ検出信号を出力回路９に出力し（ステップＳ２５）、出力回路９から外部プロセッサ２００にリセット信号を出力させて、フェールセーフ動作に移行させて、図２のステップＳ３に移行する。
【００３９】
また、ノイズ判断部８は、外部プロセッサ２００をフェールセーフ動作に移行させた後、ＲＯＭ７に記憶した信号種別（ＡＶ信号）の処理ステータス（ＡＶ処理モード）を参照して、フェールセーフ動作前の動作状態に復帰させる復帰動作指示信号を出力回路９に出力し、出力回路９から外部プロセッサ２００に復帰動作指示信号を出力させて、フェールセーフ動作前の動作状態に復帰させる。
【００４０】
図２のステップＳ３において、ノイズ判断部８は、入力部４ｂにおけるノイズ信号抽出の有無をチェックし、入力部４ｂにおいてノイズ信号が抽出されると（ステップＳ３：Ｙｅｓ）、ノイズ判断処理Ｂに移行する（ステップＳ４）。このノイズ判断処理Ｂは、図３に示したノイズ判断処理Ａのフローチャートと同様のステップ手順により実行される。
【００４１】
すなわち、ノイズ判断部８は、外部プロセッサ２００からモニタ端子１１ｂを介して受信した処理ステータス（動作状態信号）が、予め設定されたノイズ判断すべき処理ステータス（例えば、ＵＳＢ処理モード等）と一致するか否かを判別し、一致すると、入力部４ｂにおいて抽出されたノイズ信号をＡ／Ｄコンバータ５ｂによりデジタルノイズ信号にＡ／Ｄ変換する。
【００４２】
そして、ノイズ判断部８は、レジスタ６ｂからデジタルノイズ信号に対応するノイズレベルの設定値を読み出し、Ａ／Ｄコンバータ５ｂから入力されたデジタルノイズ信号のノイズレベルが設定値以上か否かを判別し、入力されたデジタルノイズ信号のノイズレベルが設定値以上である場合、外部プロセッサ２００の動作に影響があるノイズ信号であるため、検出されたデジタルノイズ信号と処理ステータスとを検出対象の信号種別（ＵＳＢデータ信号等）に対応付けてＲＯＭ７に記録し、ノイズ検出信号を出力回路９に出力し、出力回路９から外部プロセッサ２００にリセット信号を出力させて、フェールセーフ動作に移行させる。
【００４３】
また、ノイズ判断部８は、外部プロセッサ２００をフェールセーフ動作に移行させた後、ＲＯＭ７に記憶した信号種別（ＵＳＢデータ信号）の処理ステータス（ＵＳＢ処理モード）を参照して、フェールセーフ動作前の動作状態に復帰させる復帰動作指示信号を出力回路９に出力し、出力回路９から外部プロセッサ２００に復帰動作指示信号を出力させて、フェールセーフ動作前の動作状態に復帰させる。
また、ノイズ判断部８は、当該ノイズ信号が外部プロセッサ２００の処理に影響を及ぼすものと判断した場合、ユーザーＩ／Ｆを介して、ある特定の処理において誤動作が発生した可能性がある旨を示す信号を外部プロセッサ２００に出力するようにしてもよい。
【００４４】
また、図２のステップＳ６のノイズ判断処理Ｃにおいても同様にＡＣラインのノイズ信号に対してノイズ判断処理を実行し、図２のステップＳ８のノイズ判断処理Ｄにおいても同様にデジタルグランドラインに対してノイズ判断処理を実行する。
【００４５】
以上のように、本実施の形態のノイズ検出装置１００では、外部プロセッサ２００に対して、外部の電子機器から入力される各種入力ライン（図１では、ＡＶライン、ＵＳＢライン、ＡＣライン及びデジタルグランドライン）毎にノイズ信号が検出される。
【００４６】
そして、ノイズ検出装置１００内のノイズ判断部８では、検出された各ノイズ信号に対して、予め設定された処理ステータスと、外部プロセッサ２００から各モニタ端子１１ａ〜１１ｄを介して入力される各処理ステータスとの一致が判断された後、対応する入力ラインから検出されたノイズ信号のノイズレベルが、レジスタ６ａ〜６ｄに予め記憶されたノイズレベルの設定値以上である場合、ノイズ検出信号が出力回路９に出力され、出力回路９から外部プロセッサ２００にリセット信号が出力されて、フェールセーフ動作に移行させる。
【００４７】
したがって、外部プロセッサ２００が搭載された電子機器の外部機器と接続する入力段にノイズ検出装置１００を接続することにより、電子機器のノイズによる誤動作を未然に防止することができ、電子機器の信頼性を向上させることができる。
【００４８】
また、本実施の形態のノイズ検出装置１００では、外部プロセッサ２００をフェールセーフ動作に移行させた後、ＲＯＭ７に記憶した信号種別の処理ステータスを参照して、フェールセーフ動作前の動作状態に復帰させる復帰動作指示信号が出力回路９に出力され、出力回路９から外部プロセッサ２００に復帰動作指示信号を出力させて、フェールセーフ動作前の動作状態に復帰させる。
【００４９】
したがって、外部プロセッサ２００が搭載された電子機器の外部機器と接続する入力段にノイズ検出装置１００を接続することにより、リセットされた外部プロセッサ２００をユーザーが復帰させる際の手間も軽減できる。
【００５０】
また、上記実施の形態に示したノイズ検出装置では、外部プロセッサの入力ラインとしてＡＶライン、ＵＳＢライン、ＡＣライン及びデジタルグランドラインに接続する場合を示したが、その他の無線信号や有線信号に対応させることも可能である。このため、ノイズ検出装置は各種プロセッサを内蔵した各種電子機器にも容易に適用することかでき、電子機器の外部から侵入するノイズ信号に適宜対応することができる。
【００５１】
【発明の効果】
請求項１記載の発明によれば、電子機器のノイズによる誤動作を未然に防止することができ、電子機器の信頼性を向上させることができる。
【００５２】
請求項２記載の発明によれば、電子機器に設けられた各種無線信号や有線信号の各入力ラインのノイズ信号に応じて、電子機器のノイズによる誤動作を未然に防止することができ、ノイズ検出装置を各種電子機器に容易に適用することができる。
【００５３】
請求項３記載の発明のによれば、電子機器の誤動作を確実に防止できる。
【００５４】
請求項４記載の発明のによれば、ユーザーが電子機器を復帰させる際の手間を軽減できる。
【図面の簡単な説明】
【図１】本発明を適用した一実施の形態におけるノイズ検出装置１００の構成を示すブロック図である。
【図２】図１のノイズ判断部８により実行されるノイズ検出処理を示すフローチャートである。
【図３】図２のステップＳ２においてノイズ判断部８により実行されるノイズ判断処理Ａを示すフローチャートである。
【符号の説明】
１，２　ノイズ対策部品
３　　グローバルＩ／Ｏポート
４ａ〜４ｄ　入力部
５ａ〜５ｄ　Ａ／Ｄコンバータ
６ａ〜６ｄ　レジスタ
７　　ＲＯＭ
８　　ノイズ判断部
９　　出力回路
１０　出力端子部
１１ａ〜１１ｄ　モニタ端子部
１００　ノイズ検出装置
２００　外部プロセッサ
【図１】
2004032170.tif 000003
【図２】
2004032170.tif 000004
【図３】
2004032170.tif 000005